(57)【要約】【課題】簡単な構成で水なしを容易に判定でき、循環ポンプ装置の破損を防止できる貯湯式給湯機を提供する。【解決手段】熱交換部(２a,２０)と接続された貯湯タンク１と、熱交換部(２a,２０)と貯湯タンク１との間、熱交換部(２０)と浴槽３との間を接続する循環経路と、循環経路に配設され、ポンプ本体とそのポンプ本体を駆動するモータとを有する循環ポンプ装置(Ｐ１,Ｐ２,Ｐ３)と、循環ポンプ装置(Ｐ１,Ｐ２,Ｐ３)を制御する制御装置１００とを備える。循環ポンプ装置(Ｐ１,Ｐ２,Ｐ３)のモータは、回転速度を制御可能で負荷に応じて入力が変化する特性のモータである。制御装置１００は、モータを所定回転速度で回転させたときにモータの入力が所定値未満である場合に、循環経路内が水なしであると判定する判定部１００aと、判定部１００aが水なしと判定するとモータを停止する停止制御部１００bとを有する。【選択図】図１
2011094848.tif 000002
【特許請求の範囲】
【請求項１】
熱交換部(２a,２０)と、
上記熱交換部(２a,２０)と接続された貯湯タンク(１)と、
上記熱交換部(２a,２０)と上記貯湯タンク(１)との間、または、上記熱交換部(２０)と浴槽(３)との間の少なくとも一方を接続する循環経路と、
上記循環経路に配設され、ポンプ本体とそのポンプ本体を駆動するモータとを有する循環ポンプ装置(Ｐ１,Ｐ２,Ｐ３)と、
上記循環ポンプ装置(Ｐ１,Ｐ２,Ｐ３)を制御する制御装置(１００)と
を備え、
上記循環ポンプ装置(Ｐ１,Ｐ２,Ｐ３)の上記モータは、回転速度を制御可能で負荷に応じて入力が変化する特性のモータであって、
上記制御装置(１００)は、上記モータを所定回転速度で回転させたときに上記モータの入力が所定値未満である場合に、上記循環経路内が水なしであると判定する判定部(１００a)と、
上記判定部(１００a)が水なしと判定すると上記モータを停止する停止制御部(１００b)とを有することを特徴とする貯湯式給湯機。
【請求項２】
請求項１に記載の貯湯式給湯機において、
上記熱交換部は、ヒートポンプユニット(２)の沸き上げ用熱交換部(２a)または追い焚き用熱交換器(２０)の少なくとも一方であることを特徴とする貯湯式給湯機。
【請求項３】
請求項１または２に記載の貯湯式給湯機において、
上記所定回転速度とは、上記モータが水なし状態でも破損しないモータ入力時の回転速度であることを特徴とする貯湯式給湯機。
【請求項４】
請求項１から３までのいずれか１つに記載の貯湯式給湯機において、
上記制御装置(１００)は、上記判定部(１００a)が水ありと判定すると、上記所定回転速度よりも高い回転速度に切り換えて、上記循環経路内に必要流量の水を循環させる循環制御部(１００c)を有することを特徴とする貯湯式給湯機。
【発明の詳細な説明】
【技術分野】
【０００１】
この発明は、貯湯式給湯機に関する。
【背景技術】
【０００２】
従来、浴槽に接続された風呂配管を介して循環ポンプにより水を循環させる風呂装置がある(例えば、特開２００３−１３０４４７号公報(特許文献１)参照)。この風呂装置では、風呂配管内を流れる水が所定以上流れたことを水流スイッチにより検出し、循環ポンプを運転しても水流スイッチがオンしないときに循環ポンプの出力を増加するようにしている。
【０００３】
このような風呂装置において、浴槽および風呂配管に水がない場合に循環ポンプを運転すると、循環ポンプが破損する恐れがある。
【０００４】
同様に、貯湯タンクと浴槽とを循環経路を介して循環ポンプにより循環させる貯湯式給湯機において、浴槽と循環経路に水がない場合に循環ポンプを運転すると、循環ポンプが破損するという問題がある。特に、上記貯湯式給湯機の据付時は、貯湯タンク内に水があるか否かを作業者が判断することになり、浴槽と循環経路に水がない状態で循環ポンプを運転してしまう可能性が高くなる。
【先行技術文献】
【特許文献】
【０００５】
【特許文献１】特開２００３−１３０４４７号公報
【発明の概要】
【発明が解決しようとする課題】
【０００６】
そこで、この発明の課題は、簡単な構成で水なしを容易に判定でき、循環ポンプ装置の破損を防止できる貯湯式給湯機を提供することにある。
【課題を解決するための手段】
【０００７】
上記課題を解決するため、この発明の貯湯式給湯機は、
熱交換部と、
上記熱交換部と接続された貯湯タンクと、
上記熱交換部と上記貯湯タンクとの間、または、上記熱交換部と浴槽との間の少なくとも一方を接続する循環経路と、
上記循環経路に配設され、ポンプ本体とそのポンプ本体を駆動するモータとを有する循環ポンプ装置と、
上記循環ポンプ装置を制御する制御装置と
を備え、
上記循環ポンプ装置の上記モータは、回転速度を制御可能で負荷に応じて入力が変化する特性のモータであって、
上記制御装置は、上記モータを所定回転速度で回転させたときに上記モータの入力が所定値未満である場合に、上記循環経路内が水なしであると判定する判定部と、
上記判定部が水なしと判定すると上記モータを停止する停止制御部とを有することを特徴とする。
【０００８】
上記構成によれば、制御装置の判定部によって、熱交換部と貯湯タンクとの間または熱交換部と浴槽との間の少なくとも一方を接続する循環経路に配設された循環ポンプ装置のポンプ本体を駆動するモータを所定回転速度で回転させたときにモータの入力が所定値未満である場合に、循環経路内が水なしであると判定すると、制御装置の停止制御部によりモータを停止する。このとき、上記所定回転速度をモータが水なし状態でも破損しない回転速度に設定することにより、簡単な構成で水なしを容易に判定でき、循環ポンプ装置の破損を防止できる。
【０００９】
また、一実施形態の貯湯式給湯機では、
上記熱交換部は、ヒートポンプユニットの沸き上げ用熱交換部または追い焚き用熱交換器の少なくとも一方である。
【００１０】
上記実施形態によれば、ヒートポンプユニットの沸き上げ用熱交換部と貯湯タンクとの間の循環経路内、または、追い焚き用熱交換器と貯湯タンクとの間の循環経路内の水なしを容易に判定できる。
【００１１】
また、一実施形態の貯湯式給湯機では、
上記所定回転速度とは、上記モータが水なし状態でも破損しないモータ入力時の回転速度である。
【００１２】
上記実施形態によれば、循環ポンプ装置のモータを破損させることなく水なしを判定できる。
【００１３】
また、一実施形態の貯湯式給湯機では、
上記制御装置は、上記判定部が水ありと判定すると、上記所定回転速度よりも高い回転速度に切り換えて、上記循環経路内に必要流量の水を循環させる循環制御部を有する。
【００１４】
上記実施形態によれば、水ありと判定した後は、循環ポンプ装置を停止することなく連続運転して、循環経路内に必要流量の水を流すことができる。
【発明の効果】
【００１５】
以上より明らかなように、この発明の貯湯式給湯機によれば、簡単な構成で水なしを容易に判定でき、循環ポンプ装置の破損を防止できる貯湯式給湯機を実現することができる。
【図面の簡単な説明】
【００１６】
【図１】図１はこの発明の実施の一形態の貯湯式給湯機の配管系統図である。
【図２】図２は上記貯湯式給湯機の構成を示す模式図である。
【図３】図３は上記貯湯式給湯機の沸き上げ用循環ポンプの構成図である。
【図４】図４は上記貯湯式給湯機の制御装置の水なし判定動作を説明するためのフローチャートである。
【図５】図５はポンプ回転速度とポンプ入力の関係を示す図である。
【発明を実施するための形態】
【００１７】
以下、この発明の貯湯式給湯機を図示の実施の形態により詳細に説明する。
【００１８】
図１はこの発明の実施の一形態の貯湯式給湯機の配管系統図を示している。この貯湯式給湯機は、図１に示すように、貯湯タンク１と、上記貯湯タンク１内の水を沸き上げるためのヒートポンプユニット２とを備えている。上記貯湯タンク１の下部に配管Ｌ１の一端を接続し、配管Ｌ１の他端をヒートポンプユニット２の沸き上げ用熱交換部２aの一端に接続している。また、上記ヒートポンプユニット２の沸き上げ用熱交換部２aの他端を配管Ｌ２の一端に接続し、配管Ｌ２の他端を三方弁１０の入力側に接続している。上記三方弁１０の一方の出力側に配管Ｌ３の一端を接続し、配管Ｌ３の他端を貯湯タンク１の上部に接続している。一方、三方弁１０の他方の出力側に配管Ｌ４の一端を接続し、配管Ｌ４の他端を貯湯タンク１の下部に接続している。上記配管Ｌ１,Ｌ２,Ｌ３,Ｌ４で貯湯タンク１とヒートポンプユニット２との間の循環経路を構成している。また、上記配管Ｌ１に循環ポンプ装置の一例としての沸き上げ用循環ポンプＰ１を配設している。
【００１９】
上記沸き上げ用循環ポンプＰ１により、貯湯タンク１内の湯水を、配管Ｌ１,ヒートポンプユニット２の沸き上げ用熱交換部２a,配管Ｌ２,三方弁１０,配管Ｌ３(またはＬ４)を介して循環させる。
【００２０】
次に、上記貯湯タンク１の下部に配管Ｌ１１を介して外部の給水管を接続している。この配管Ｌ１１に、ストレーナ１１と、給水管側から貯湯タンク１側への流れのみを許容する逆止弁１２と、減圧弁１３と、給水管側から貯湯タンク１側への流れのみを許容する逆止弁１４とを上流側から順に配設している。
【００２１】
また、上記貯湯タンク１の上部に配管Ｌ２１の一端を接続し、配管Ｌ２１の他端を風呂用混合弁５の一方の入力側に接続している。上記配管Ｌ２１に、貯湯タンク１側から反対側への流れのみを許容する逆止弁４を配設している。上記風呂用混合弁５の他方の入力側に、分岐配管Ｌ１２の一端を接続し、その分岐配管Ｌ１２の他端を、配管Ｌ１１の減圧弁１３と逆止弁１４との間に接続している。また、上記風呂用混合弁５の出力側に配管Ｌ２２の一端を接続し、配管Ｌ２２の他端を、浴槽３に設けられた接続アダプタ９の給湯口９aに接続している。この配管Ｌ２２の風呂用混合弁５側から順に、流量調整用電磁弁６と、水量センサ７と、風呂用混合弁５側から浴槽３への流れのみを許容する逆止弁８を配設している。
【００２２】
上記流量調整用電磁弁６と水量センサ７と逆止弁８で複合水弁３０を構成している。
【００２３】
上記配管Ｌ２１と配管Ｌ２２で、貯湯タンク１と浴槽３との間の給水経路を構成している。上記風呂用混合弁５と流量調整用電磁弁６と逆止弁８で弁機構を構成している。
【００２４】
上記接続アダプタ９の追い焚き用吸水口９bに配管Ｌ２４の一端を接続し、配管Ｌ２４の他端を追い焚き用熱交換器２０の２次側の入力に接続している。上記配管Ｌ２４に循環ポンプ装置の一例としての風呂用循環ポンプＰ３を配設している。また、配管Ｌ２２の逆止弁８よりも下流側に分岐配管Ｌ２３の一端を接続し、分岐配管Ｌ２３の他端を追い焚き用熱交換器２０の２次側の出力に接続している。
【００２５】
上記風呂用循環ポンプＰ３により、浴槽３内の湯水を、配管Ｌ２４,追い焚き用熱交換器２０の２次側,分岐配管Ｌ２３,配管Ｌ２２を介して循環させる。
【００２６】
また、上記配管Ｌ２１の逆止弁４よりも下流側に分岐配管Ｌ２５の一端を接続し、分岐配管Ｌ２５の他端を追い焚き用熱交換器２０の１次側の入力に接続している。上記追い焚き用熱交換器２０の１次側の出力に配管Ｌ２６の一端を接続し、配管Ｌ２６の他端を貯湯タンク１の下部に接続している。上記配管Ｌ２６に循環ポンプ装置の一例としての追い焚き用循環ポンプＰ２を配設している。
【００２７】
上記追い焚き用循環ポンプＰ２により、貯湯タンク１内の湯水を、配管Ｌ２１,分岐配管Ｌ２５,追い焚き用熱交換器２０の１次側,配管Ｌ２６を介して循環させる。
【００２８】
また、上記貯湯タンク１の上部に配管Ｌ３１の一端を接続し、配管Ｌ３１の他端を給湯用混合弁２２の一方の入力側に接続している。上記配管Ｌ３１に、貯湯タンク１側から給湯用混合弁２２への流れのみを許容する逆止弁２１を配設している。また、風呂用混合弁５の他方の入力側に、分岐配管Ｌ１３の一端を接続し、分岐配管Ｌ１３の他端を、分岐配管Ｌ１２の給湯用混合弁２２の他方の入力側に接続している。上記分岐配管Ｌ１３に、分岐配管Ｌ１２側から給湯用混合弁２２への流れのみを許容する逆止弁２３を配設している。上記給湯用混合弁２２の出力側に配管Ｌ３２の一端を接続し、配管Ｌ３２の他端を給湯部２５(この実施形態では蛇口)に接続している。上記配管Ｌ３２に水量センサ２４を接続している。
【００２９】
また、上記貯湯タンク１には、下側から上側に向かって略等間隔に６つの温度センサＴ１〜Ｔ６を設けている。また、給湯部２５に接続された配管Ｌ３２には、水量センサ２４よりも下流側に給湯温度を検出する温度センサＴ１１を設けている。また、浴槽３に接続された配管Ｌ２４には、浴槽３側の接続アダプタ９と風呂用循環ポンプＰ３との間に、水位センサＬＳと水流スイッチＳＷと温度センサＴ１２とを接続アダプタ９側から順に設けている。また、配管Ｌ１１の減圧弁１３と逆止弁１４との間かつ配管Ｌ１１に分岐配管Ｌ２１が接続された接続点よりも下流側に、給水温度を検出する温度センサＴ１３を設けている。さらに、浴槽３に接続された配管Ｌ２２の逆止弁８の下流側、かつ、配管Ｌ２２に分岐配管Ｌ２３が接続された接続点よりも上流側に、浴槽３に供給される給湯水の温度を検出する温度センサＴ１４を設けている。
【００３０】
また、上記貯湯式給湯機は、マイクロコンピュータと入出力回路などからなる制御装置１００と、上記制御装置１００との間で信号を送受信するリモートコントローラ２００とを備えている。上記制御装置１００は、循環経路内が水なしか否かを判定する判定部１００aと、判定部１００aが水なしと判定すると循環ポンプ(Ｐ１,Ｐ２,Ｐ３)のモータを停止する停止制御部１００bと、循環経路内に必要流量の水を循環させる循環制御部１００cとを有する。上記制御装置１００は、温度センサＴ１〜Ｔ１４と水位センサＬＳと水流スイッチＳＷと水量センサ７,２４からの信号を受けて、ヒートポンプユニット２と沸き上げ用循環ポンプＰ１と追い焚き用循環ポンプＰ２と風呂用循環ポンプＰ３と風呂用混合弁５と給湯用混合弁２２と三方弁１０を制御する。
【００３１】
上記構成の貯湯式給湯機において、据付完了後の試運転では、ストレーナ１１と逆止弁１２と減圧弁１３を介して貯湯タンク１の下側から水を供給して貯湯タンク１内を水で満たした後、三方弁１０を配管Ｌ４側に切り換えて、沸き上げ用循環ポンプＰ１を所定時間運転して貯湯タンク１内の水を循環経路を介して循環させて空気抜き動作を行う。
【００３２】
図２は上記貯湯式給湯機の構成を示す模式図を示している。図２に示すように、沸き上げ用循環ポンプＰ１により、貯湯タンク１内の湯水を、循環経路(図１に示す配管Ｌ１,ヒートポンプユニット２の沸き上げ用熱交換部２a,配管Ｌ２,三方弁１０,配管Ｌ３(またはＬ４))を介して循環させる。また、追い焚き用循環ポンプＰ２により、貯湯タンク１内の湯水を、循環経路(図１に示す配管Ｌ２１,分岐配管Ｌ２５,追い焚き用熱交換器２０の１次側,配管Ｌ２６)を介して循環させる。さらに、風呂用循環ポンプＰ３により、浴槽３内の湯水を、循環経路(図１に示す配管Ｌ２４,追い焚き用熱交換器２０の２次側,分岐配管Ｌ２３,配管Ｌ２２)を介して循環させる。
【００３３】
また、図３は上記貯湯式給湯機の沸き上げ用循環ポンプＰ１の構成図を示しており、追い焚き用循環ポンプＰ２と風呂用循環ポンプＰ３も同様の構成をしている。
【００３４】
上記沸き上げ用循環ポンプＰ１は、図３に示すように、ポンプ本体４１とそのポンプ本体４１を駆動するモータ４２とを有する。このモータ４２は、回転速度を制御可能で負荷に応じて入力が変化する特性のモータであり、この実施形態では、速度指令電圧に基づいて回転速度が制御されるＤＣモータを用いている。
【００３５】
図４は上記貯湯式給湯機の制御装置１００の水なし判定動作のフローチャートを示しており、以下に図４に従って制御装置１００の動作を説明する。ここでは、貯湯タンク１内の湯水を循環経路を介して循環させる沸き上げ運転開始時における沸き上げ用循環ポンプＰ１の動作について説明する。
【００３６】
まず、処理がスタートすると、ステップＳ１でポンプを第１目標回転速度(所定回転速度)で運転する。すなわち、貯湯タンク１内の湯水を循環経路を介して循環させるために沸き上げ用循環ポンプＰ１を第１目標回転速度で運転する。
【００３７】
次に、ステップＳ２に進み、ポンプ入力値が判定値(所定値)よりも大きいか否かを判定部１００aにより判定する。ここで、沸き上げ用循環ポンプＰ１のポンプ本体を駆動するモータの速度指令電圧がポンプ入力値に相当する。
【００３８】
そして、ステップＳ２でポンプ入力値が第１判定値よりも大きいと判定すると、ステップＳ３に進み、判定部１００aは「水あり」と判定する。
【００３９】
そして、ステップＳ４に進み、循環制御部１００cによりポンプを第２目標回転速度で運転して、この処理を終了し、沸き上げ運転を行う。すなわち、沸き上げ用循環ポンプＰ１を沸き上げ運転時の通常回転速度である第２目標回転速度で運転する。
【００４０】
一方、ステップＳ２でポンプ入力値が判定値以下であると判定すると、ステップＳ５に進み、判定部１００aは「水なし」と判定する。
【００４１】
次に、ステップＳ６に進み、「水なし」が一定時間以上継続していると判定すると、ステップＳ７に進む一方、「水なし」が一定時間以上継続していないと判定すると、ステップＳ２に戻る。
【００４２】
そして、ステップＳ７で異常確定として、ステップＳ８に進み、停止制御部１００bによりポンプを停止する。すなわち、停止制御部１００bにより沸き上げ用循環ポンプＰ１のモータを停止する。
【００４３】
次に、ステップＳ９に進み、リモートコントローラ２００等に警報を表示して、この処理を終了する。
【００４４】
図５はポンプ回転速度とポンプ入力の関係を示しており、図５において、横軸はポンプ回転速度(任意目盛)を表し、縦軸はポンプへの入力(任意目盛)を表しており、曲線Ａは水あり時の特性を示し、曲線Ｂは水なし時の特性を示している。
【００４５】
図５に示すように、水あり時のモータ負荷が大きいときの曲線Ａは、水なし時のモータ負荷が小さいときの曲線Ｂよりもモータへの入力の変化量が大きく傾きが大きい。このため、水あり時の特性を示す曲線Ａでは、第１目標回転速度でポンプへの入力が判定値以上であるのに対して、水なし時の特性を示す曲線Ｂでは、第１目標回転速度でポンプへの入力が判定値以下である。
【００４６】
上記構成の貯湯式給湯機によれば、制御装置１００の判定部１００aによって、熱交換部(２a,２０)と貯湯タンク１との間を接続する循環経路および熱交換部(２０)と浴槽３との間を接続する循環経路に配設された循環ポンプ装置(Ｐ１,Ｐ２,Ｐ３)のポンプ本体を駆動するモータを第１目標回転速度(所定回転速度)で回転させて、モータの入力が判定値(所定値)未満のとき、循環経路内が水なしであると判定すると、制御装置１００の停止制御部１００bによりモータを停止する。これにより、簡単な構成で水なしを容易に判定でき、循環ポンプ装置(Ｐ１,Ｐ２,Ｐ３)の破損を防止することができる。
【００４７】
なお、この実施形態では、沸き上げ用循環ポンプＰ１により貯湯タンク１内の湯水を循環させる循環経路と、追い焚き用循環ポンプＰ２により貯湯タンク１内の湯水を循環させる循環経路と、風呂用循環ポンプＰ３により浴槽３内の湯水を循環させる循環経路について、水なしを判定したが、いずれか１つまたは２つの循環経路の水なしを判定してもよい。
【００４８】
また、上記貯湯式給湯機では、ヒートポンプユニット２の沸き上げ用熱交換部２aと貯湯タンク１との間の循環経路内、および、追い焚き用熱交換器２０と貯湯タンク１との間の循環経路内の水なしを容易に判定することができる。
【００４９】
また、上記第１目標回転速度(所定回転速度)を、モータが水なし状態でも破損しないモータ入力時の回転速度とすることにより、循環ポンプ装置(Ｐ１,Ｐ２,Ｐ３)のモータを破損させることなく水なしを判定できる。
【００５０】
また、上記制御装置１００は、判定部１００aが水ありと判定すると、第１目標回転速度(所定回転速度)よりも高い回転速度に切り換えて、循環経路内に必要流量の水を循環させる循環制御部１００cを有するので、水ありと判定した後は、循環ポンプ装置(Ｐ１,Ｐ２,Ｐ３)を停止することなく連続運転して、循環経路内に必要流量の水を流すことができる。
【００５１】
上記貯湯式給湯機では、制御装置１００によって、まず、三方弁１０を配管Ｌ３側に切り換えて、沸き上げ用循環ポンプＰ１とヒートポンプユニット２を運転し、貯湯タンク１内の水を循環経路を介して循環させて、貯湯タンク１内の水を沸き上げる沸き上げ運転を行う。この沸き上げ運転は、温度センサＴ１１〜Ｔ１６により検出された湯の温度に基づいて、制御装置１００により沸き上げ用循環ポンプＰ１とヒートポンプユニット２を制御して行われる。
【００５２】
そして、浴槽３への湯張り運転では、風呂用混合弁５と流量調整用電磁弁６を制御し、所望の水位に湯張りを行う。このとき、配管Ｌ１１を介した給水圧力により貯湯タンク１の下部から貯湯タンク１内に水が供給され、貯湯タンク１の上部から出湯された高温の湯が風呂用混合弁５で水と混合された後、配管Ｌ２２を介して浴槽３に供給される。このとき、制御装置１００は、温度センサＴ１４により検出された湯の温度が設定温度になるように、風呂用混合弁５の湯と水の混合比を制御する。
【００５３】
また、追い焚き運転では、追い焚き用循環ポンプＰ２を運転して、貯湯タンク１内の湯を追い焚き用熱交換器２０の１次側を介して循環させると共に、風呂用循環ポンプＰ３を運転して、浴槽３内の湯水を追い焚き用熱交換器２０の２次側を介して循環させる。これにより、追い焚き用熱交換器２０で浴槽３側の湯水を加熱して追い焚きを行う。
【００５４】
また、給湯部２５の蛇口を開くと、給水圧力により貯湯タンク１の下部から貯湯タンク１内に水が供給され、貯湯タンク１の上部から出湯された高温の湯が給湯用混合弁２２で水と混合された後、配管Ｌ３２を介して給湯部２５に供給される。このとき、制御装置１００は、温度センサＴ１１により検出された給湯温度が設定給湯温度になるように、給湯用混合弁２２の湯と水の混合比を制御する。
【００５５】
また、上記貯湯式給湯機のヒートポンプユニット２は、圧縮機と、上記圧縮機の吐出側に一端(一次側)が接続された凝縮器(沸き上げ用熱交換部２a)と、上記凝縮器の他端(一次側)に一端が接続された膨張弁と、上記膨張弁の他端に一端が接続され、他端が圧縮機の吸込側に接続された蒸発器と、上記蒸発器に外気を供給する送風ファンとを有し、圧縮機と凝縮器と膨張弁および蒸発器で冷媒回路を構成している。上記凝縮器,蒸発器が配置された室と圧縮機が配置された室とが仕切板により仕切られたケーシング内に、蒸発器が配置された室に凝縮器(沸き上げ用熱交換部２a)と送風ファンを配置している。
【００５６】
上記ヒートポンプユニット２は、ケーシング高さＨに対する送風ファンのファンの直径Ｒの比率Ｒ／Ｈを０．６８以上としている。また、上記ヒートポンプユニット２は、ケーシングの前面側に吹出口を備え、ケーシング正面の面積Ｓに対する吹出口の面積Ｓuの比率Ｓu／Ｓを０．３０以上としている。これにより、性能に必要な風量を確保しつつ、騒音を低減することができる。ここで、ケーシングの前面側の吹出口に設けられたベルマウスは、上側に配置された制御装置に近接する部分に切り欠きを設けている。この切り欠きは、直線状に切り欠いていることが望ましい。また、上記凝縮器(沸き上げ用熱交換部２a)は、送風ファンの下側かつケーシング底部に配置されている。さらに、上記制御装置は、送風ファンの上側に配置されていないことが望ましい。
【００５７】
上記実施の形態では、追い焚き用熱交換器２０を用いた貯湯式給湯機について説明したが、貯湯式給湯機はこれに限らず、追い焚き用熱交換器を用いない他の構成の貯湯式給湯機にこの発明を適用してもよい。また、貯湯タンク１を１つ備えた貯湯式給湯機について説明したが、これに限らず、２つの貯湯タンクを上下２段構成した貯湯式給湯機などにこの発明を適用してもよい。
【００５８】
また、上記実施の形態では、風呂用混合弁５と流量調整用電磁弁６を有する弁機構を備えた貯湯式給湯機について説明したが、弁機構はこれに限らず、他の構成の弁機構を備えた貯湯式給湯機にこの発明を適用してもよい。
【００５９】
また、上記実施の形態では、空気抜き制御部１００aにより空気抜き制御を行った後、水位確定動作制御部１００bにより浴槽３の水位確定動作を行ったが、水位確定動作はなくともよい。
【００６０】
この発明の具体的な実施の形態について説明したが、この発明は上記実施の形態に限定されるものではなく、この発明の範囲内で種々変更して実施することができる。
【符号の説明】
【００６１】
１…貯湯タンク
２…ヒートポンプユニット
２a…沸き上げ用熱交換部
３…浴槽
５…風呂用混合弁
６…流量調整用電磁弁
７,２４…水量センサ
９…接続アダプタ
１３…減圧弁
２０…追い焚き用熱交換器
２２…給湯用混合弁
３０…複合水弁
４１…ポンプ本体
４２…モータ
１００…制御装置
１００a…空気抜き制御部
１００b…水位確定動作制御部
２００…リモートコントローラ
ＬＳ…水位センサ
Ｐ１…沸き上げ用循環ポンプ
Ｐ２…追い焚き用循環ポンプ
Ｐ３…風呂用循環ポンプ
ＳＷ…水流スイッチ
【図１】
2011094848.tif 000003
【図２】
2011094848.tif 000004
【図３】
2011094848.tif 000005
【図４】
2011094848.tif 000006
【図５】
2011094848.tif 000007